(57)【要約】【課題】  ベースが分断されていても、吊り戸が傾いたり、脱落したりすることなく開閉できるようにする。【解決手段】  本発明の吊り戸構造は、吊り戸を吊持する吊り具として、吊り戸の戸先側領域と戸尻側領域の双方を、選択的に吊持可能な中継吊り具を設けたものであり、戸先側吊り具による吊り戸の吊持が解除されているときには、吊り戸の戸先側領域が中継吊り具で吊持され、戸先側領域が戸尻側吊り具で保持されるようにしたものである。戸尻側吊り具による吊り戸の吊持が解除されているときに、吊り戸の戸尻側領域が中継吊り具で吊持され、吊り戸の戸先側領域が戸先側吊り具で吊持されるようにすることもできる。本発明の吊り戸構造は、双方回転型吊り具、上回転型吊り具及び下回転型吊り具を適宜組み合わせることによって実現することができる。【選択図】図１
2019002149.tif 000002
【特許請求の範囲】
【請求項１】
吊り具で吊持される吊り戸の構造において、
分断部材によって戸先側と戸尻側に分断されたベースと、当該ベースのうち戸先側のベースに設けられる戸先側吊り具と、前記ベースのうち戸尻側のベースに設けられる中継吊り具及び戸尻側吊り具と、吊り戸を備え、
前記吊り戸は、戸先側吊り具による吊り戸の吊持が解除されているときには、吊り戸の戸先側領域が中継吊り具で吊持され、当該吊り戸の戸尻側領域が戸尻側吊り具で吊持される、
ことを特徴とする吊り戸構造。
【請求項２】
請求項１記載の吊り戸構造において、
吊り戸は、戸尻側吊り具による吊り戸の吊持が解除されているときには、吊り戸の戸尻側領域が中継吊り具で吊持され、当該吊り戸の戸先側領域が戸先側吊り具で吊持される、
ことを特徴とする吊り戸構造。
【請求項３】
請求項１記載の吊り戸構造において、
戸先側吊り具及び中継吊り具は回転式の枠側部材及び戸側部材を備えた双方回転型吊り具であり、
戸尻側吊り具は回転式の枠側部材と固定式の戸側部材を備えた上回転型吊り具である、
ことを特徴とする吊り戸構造。
【請求項４】
請求項１の吊り戸構造において、
戸先側吊り具は固定式の枠側部材と回転式の戸側部材を備えた下回転型吊り具であり、
中継吊り具は回転式の枠側部材及び戸側部材を備えた双方回転型吊り具であり、
戸尻側吊り具は回転式の枠側部材と固定式の戸側部材を備えた上回転型吊り具であり、
ことを特徴とする吊り戸構造。
【請求項５】
請求項１記載の吊り戸構造において、
戸先側吊り具は回転式の枠側部材及び戸側部材を備えた双方回転型吊り具であり、
中継吊り具は固定式の枠側部材と回転式の戸側部材を備えた下回転型吊り具であり、
戸尻側吊り具は回転式の枠側部材と固定式の戸側部材を備えた上回転型吊り具である、
ことを特徴とする吊り戸構造。
【請求項６】
請求項１記載の吊り戸構造において、
戸先側吊り具及び中継吊り具は固定式の枠側部材と回転式の戸側部材を備えた下回転型吊り具であり、
戸尻側吊り具は回転式の枠側部材と固定式の戸側部材を備えた上回転型吊り具である、
ことを特徴とする吊り戸構造。
【請求項７】
請求項１又は請求項２記載の吊り戸構造において、
戸先側吊り具、中継吊り具及び戸尻側吊り具は固定式の枠側部材と回転式の戸側部材を備えた下回転型吊り具である、
ことを特徴とする吊り戸構造。
【発明の詳細な説明】
【技術分野】
【０００１】
本発明は吊下げ式の引き戸（本願において「吊り戸」という）の構造に関する。
【背景技術】
【０００２】
介護施設や病院、一般家庭等（本願において「施設等」という）、介護や介抱が行われる現場では、被介護者や患者（本願において「被介護者等」という）を移動するために、吊下げ走行式のリフト（本願において「移動リフト」という）が使用されることがある。移動リフトの一種として、室内の天井側に設置されたレール（移動用レール）にリフト本体を吊下げ、そのリフト本体を移動用レールに沿って移動させて被介護者等を移動させるものが知られている（特許文献１）。特許文献１の介護用リフトでは、分断された移動用レール間で吊下げベルトを掛け替えることによって、鴨居で仕切られた部屋間を移動することができる。
【先行技術文献】
【特許文献】
【０００３】
【特許文献１】特開平９−５７９号公報
【発明の概要】
【発明が解決しようとする課題】
【０００４】
吊下げベルトを掛け替え可能な設備は高価なものが多く、資金的な理由で導入できない施設等もある。このような施設等では、移動用レールを部屋単位で設置し、その移動用レール間の移動は介護スタッフが被介護者等を抱えて行っている。一般的な被介護者等の体重は数十ｋｇ以上あるため、介護者を抱えて移動させるのは、介護スタッフにとって非常に負担が大きい。
【０００５】
戸が開き戸の場合、鴨居などの仕切り（本願において「壁部」という）の一部を切欠き、その切欠き部分に部屋間を貫通する一本の移動用レールを通すことによって前記問題を解決することができるが、戸が吊り戸の場合には、吊り戸用レールが分断されることになり、その分断部分から吊り戸レール内を移動する吊り具が外れて、戸の開閉に支障をきたすおそれがある。
【０００６】
本発明はかかる事情に鑑みてなされたものであり、その解決課題は、壁部や壁部に設けられたガイドレール（本願において、壁部のこと又は壁部とレールの双方をまとめて「ベース」ということがある）が分断されていても、吊り戸が傾いたり、脱落したりすることなく開閉することができる吊り戸構造を提供することにある。
【課題を解決するための手段】
【０００７】
本発明の吊り戸構造は、吊り戸を吊持する吊り具として、吊り戸の幅方向中心よりも戸先側の領域（本願において「戸先側領域」という）と幅方向中心よりも戸尻側の領域（本願において「戸尻側領域」という）の双方を、選択的に吊持可能な中継吊り具を備えたものである。
【発明の効果】
【０００８】
本発明の吊り戸構造は、吊り戸の戸先側領域及び戸尻側領域を選択的に吊持可能な中継吊り具を備えているため、戸先側吊り具や戸尻側吊り具による吊り戸の吊持が解除されても、吊り戸が不用意に傾いたり、脱落したりすることがない。
【図面の簡単な説明】
【０００９】
【図１】（ａ）は本発明の吊り戸構造における吊り戸が閉じた状態を示す斜視図、（ｂ）は本発明の吊り戸構造における吊り戸が開いた状態を示す斜視図。
【図２】（ａ）は双方回転型吊り具の一例を示す斜視図、（ｂ）はその分解斜視図。
【図３】（ａ）は下回転型吊り具の一例を示す斜視図、（ｂ）はその分解斜視図。
【図４】（ａ）は上回転型吊り具の一例を示す斜視図、（ｂ）はその分解斜視図。
【図５】（ａ）（ｂ）は本発明の吊り戸構造の第一の実施形態の説明図。
【図６】（ａ）（ｂ）は本発明の吊り戸構造の第一の実施形態の説明図。
【図７】（ａ）（ｂ）は本発明の吊り戸構造の第二の実施形態の説明図。
【図８】（ａ）（ｂ）は本発明の吊り戸構造の第二の実施形態の説明図。
【図９】（ａ）（ｂ）は本発明の吊り戸構造の第三の実施形態の説明図。
【図１０】（ａ）（ｂ）は本発明の吊り戸構造の第三の実施形態の説明図。
【図１１】（ａ）（ｂ）は本発明の吊り戸構造の第四の実施形態の説明図。
【図１２】本発明の吊り戸構造の第四の実施形態の説明図。
【図１３】（ａ）（ｂ）は本発明の吊り戸構造の第五の実施形態の説明図。
【図１４】本発明の吊り戸構造の第五の実施形態の説明図。
【発明を実施するための形態】
【００１０】
［本発明の概要］
本発明の吊り戸構造は、図１（ａ）（ｂ）に示すように、吊り戸３を吊持する吊り具１０として、吊り戸３の戸先側領域３ａと戸尻側領域３ｂを選択的に吊持可能な吊り具（本願において「中継吊り具」という）１０Ｂを備えたものであり、ベースが分断されている場合にも吊り戸３を脱落させることなく開閉することができるものである。本発明の吊り戸構造は、例えば、図２（ａ）（ｂ）〜図４（ａ）（ｂ）に示す各種吊り具１０を適宜組み合わせて実現することができる。なお、本願における「吊持」とは吊り下げて保持することをいい、吊り具１０が吊り戸３に固定されているか否かを問わない。
【００１１】
図２（ａ）（ｂ）に示す吊り具１０は、枠側部材１１と戸側部材１２と連結部材１３を備えたものであり、枠側部材１１と戸側部材１２の双方に回転ローラーが設けられたもの（本願において「双方回転型吊り具」という）である。
【００１２】
前記枠側部材１１は枠側ブラケット１１ａと、枠側ブラケット１１ａに間隔をあけて設けられた二つの回転ローラー（本願において「上ローラー」という）１１ｂを備えている。枠側ブラケット１１ａの長手方向両端にはネジ穴１１ｃを備えた止め片１１ｄが設けられている。止め片１１ｄは、枠側部材１１と接続部材１３とを連結する際に、下向きＬ字状の突き当て具１１ｅを固定する部分である。
【００１３】
前記戸側部材１２は戸側ブラケット１２ａと戸側ブラケット１２ａに間隔をあけて設けられた二つの回転ローラー（本願において「下ローラー」という）１２ｂを備えている。枠側ブラケット１２ａの長手方向両端にはネジ穴１２ｃを備えた止め片１２ｄが設けられている。それぞれの止め片１２ｄには下向きＬ字状の突き当て具１２ｅが固定ネジＢ１で固定されている。枠側ブラケット１２ａに設けられた両ローラー１２ｂの間には、接続ボルト１３ａを挿通するための挿通孔１２ｆが設けられている。
【００１４】
前記連結部材１３は、接続ボルト１３ａと接続ボルト１３ａを吊る吊りブラケット１３ｂと接続ボルト１３ａを抑える押さえ具１３ｃを備えている。吊りブラケット１３ｂの長手方向両端にはネジ穴１３ｄを備えた止め片１３ｅが設けられている。接続ボルト１３ａはその頭部と軸部の付け根部分が吊りブラケット１３ｂのセット凹部１３ｆにセットされ、その接続ボルト１３ａの上側に押さえ具１３ｃが被せられて固定ネジＢ２で固定されていることによって、吊りブラケット１３ｂと押さえ具１３ｃで保持されている。
【００１５】
枠側部材１１と接続部材１３は、枠側ブラケット１１ａの止め片１１ｄ、吊りブラケット１３ｂの止め片１３ｅ及びＬ字条の突き当て具１１ｅが固定ネジＢ３で固定されることによって連結されている。また、戸側部材１２と接続部材１３は、戸側ブラケット１２ａの挿通孔１２ｆに差し込まれた接続ボルト１３ａを回り止め具１３ｇの挿通孔１３ｈに差し込み、その挿通孔１３ｈを通過した接続ボルト１３ａの先端側にナット１３ｉが締結されることによって連結されている。
【００１６】
図３（ａ）（ｂ）に示す吊り具１０は、枠側部材２１と戸側部材２２と連結部材２３を備えたものであり、枠側部材２１に固定具が、戸側部材２２に回転ローラーが設けられたもの（本願において「下回転型吊り具」という）である。
【００１７】
前記枠側部材２１は横長方形状の固定プレート２１ａとその固定プレート２１ａの上面側に固定された固定ナット２１ｂで構成されている。固定プレート２１ａには接続ボルト２３ａを挿通可能な挿通孔（図示しない）が設けられ、その挿通孔と連通する位置に固定ナット２１ｂが設けられている。固定プレート２１ａは吊り具１０をベースに固定する際にベースにあてがう部材である。固定プレート２１ａには、ベースへの固定に用いる固定具（図示しない）を挿通する挿通孔２１ｃが間隔をあけて複数個設けられている。
【００１８】
前記戸側部材２２は、戸側ブラケット２２ａと、戸側ブラケット２２ａに間隔をあけて設けられた二つの回転ローラー（本願において「下ローラー」という）２２ｂを備えている。戸側ブラケット２２ａの長手方向両端にはネジ穴２２ｃを備えた止め片２２ｄが設けられている。止め片２２ｄは、戸側部材２２と接続部材２３とを連結する際に、固定ネジＢ３を固定する部分である。
【００１９】
前記連結部材２３は、接続ボルト２３ａと接続ボルト２３ａを吊持する吊りブラケット２３ｂと接続ボルト２３ａの下側を抑える押さえ具２３ｃを備えている。吊りブラケットの２３ｂの長手方向両端にはネジ穴２３ｄを備えた止め片２３ｅが設けられている。接続ボルト２３ａはその頭部と軸部の付け根部分が吊りブラケット２３ｂのセット凹部２３ｆにセットされており、その接続ボルト２３ａの下側に押さえ具２３ｃがあてがわれて固定ネジＢ２で固定されている。
【００２０】
前記枠側部材２１と接続部材２３は、固定プレート２１ａの挿通孔（図示しない）を通過した接続ボルト２３ａの先端が当該固定プレート２１ａに設けられた固定ナット２１ｂにねじ込まれることによって連結されている。また、戸側部材２２と接続部材２３は、戸側ブラケット２２ａの止め片２２ｄと吊りブラケット２３ｂの止め片２３ｅが固定ネジＢ３で固定されることによって連結されている。
【００２１】
図４（ａ）（ｂ）に示す吊り具１０は、図３（ａ）（ｂ）の吊り具１０と同様、枠側部材３１と戸側部材３２と連結部材３３を備えたものであり、枠側部材３１に回転ローラーが設けられ、戸側部材３２に固定具が設けられたもの（本願において「上回転型吊り具」という）である。図４（ａ）（ｂ）に示す吊り具１０は、図３（ａ）（ｂ）に示す吊り具１０の上下を逆さまにしたものである。
【００２２】
前記枠側部材３１は、枠側ブラケット３１ａと、枠側ブラケット３１ａに間隔をあけて設けられた二つの回転ローラー（本願において「上ローラー」という）３１ｂを備えている。枠側ブラケット３１ａの長手方向両端にはネジ穴３１ｃを備えた止め片３１ｄが設けられている。止め片３１ｄは、枠側部材３１と接続部材３３とを連結する際に、固定ネジＢ３を固定する部分である。
【００２３】
前記戸側部材３２は横長方形状の固定プレート３２ａとその固定プレート３２ａの底面側に固定された固定ナット３２ｂで構成されている。固定プレート３２ａには接続ボルト３３ａを挿通可能な挿通孔３２ｃが設けられ、その挿通孔３２ｃと連通する位置に固定ナット３２ｂが設けられている。固定プレート３２ａは吊り具１０を吊り戸３に固定する際にベースにあてがう部材である。固定プレート３２ａには、ベースへの固定に用いる固定具（図示しない）を挿通する挿通孔３２ｄが間隔をあけて複数個設けられている。
【００２４】
前記連結部材３３は、接続ボルト３３ａと接続ボルト３３ａを吊る吊りブラケット３３ｂと接続ボルト３３ａを抑える押さえ具３３ｃを備えている。吊りブラケットの３３ｂの長手方向両端にはネジ穴３３ｄを備えた止め片３３ｅが設けられている。接続ボルト３３ａはその頭部と軸部の付け根部分が吊りブラケット３３ｂのセット凹部３３ｆにセットされており、その接続ボルト３３ａの上側に押さえ具３３ｃが被せられて固定ネジＢ２で固定されている。
【００２５】
前記枠側部材３１と接続部材３３は、枠側ブラケット３１ａの止め片３１ｄと吊りブラケット３３ｂの止め片３３ｅが固定ネジＢ３で固定されることによって連結されている。戸側部材３２と接続部材３３は、固定プレート３２ａの挿通孔３２ｃを通過した接続ボルト３３ａの先端が当該固定プレート３２ａに設けられた固定ナット３２ｂにねじ込まれることによって連結されている。
【００２６】
図２（ａ）（ｂ）〜図４（ａ）（ｂ）に示す吊り具１０は一例であり、本発明の吊り戸構造は、これら以外の吊り具によっても実現することができるが、以下では、実施形態１として、戸先側の吊り具（本願において「戸先側吊り具」という）１０Ａ及び中継吊り具１０Ｂとして双方回転型吊り具（図２（ａ）（ｂ））を、戸尻側の吊り具（本願において「戸尻側吊り具」という）１０Ｃとして上回転型吊り具（図４（ａ）（ｂ））を用いる場合について説明し、実施形態２として、戸先側吊り具１０Ａとして下回転型吊り具（図３（ａ）（ｂ））を、中継吊り具１０Ｂとして双方回転型吊り具（図２（ａ）（ｂ））を、戸尻側吊り具１０Ｃとして上回転型吊り具（図４（ａ）（ｂ））を用いる場合について説明し、実施形態３として、戸先側吊り具１０Ａとして双方回転型吊り具（図２（ａ）（ｂ））を、中継吊り具１０Ｂとして下回転型吊り具（図３（ａ）（ｂ））を、戸尻側吊り具１０Ｃとして上回転型吊り具（図４（ａ）（ｂ））を用いる場合について説明し、実施形態４として、戸先側吊り具１０Ａ及び中継吊り具１０Ｂとして下回転型吊り具（図３（ａ）（ｂ））を、戸尻側吊り具１０Ｃとして上回転型吊り具（図４（ａ）（ｂ））を用いる場合について説明し、実施形態５として、戸先側吊り具１０Ａ、中継吊り具１０Ｂ及び、戸尻側吊り具１０Ｃとして下回転型吊り具（図３（ａ）（ｂ））を用いる場合について説明する。
【００２７】
［実施形態１］
本発明の吊り戸構造の第一の実施形態について、図５（ａ）（ｂ）及び図６（ａ）（ｂ）を参照して説明する。図５（ａ）（ｂ）及び図６（ａ）（ｂ）において、１は壁部、２は吊り戸レール、３は吊り戸、４は上端側レール、５は介護リフト用の移動レール（分断部材）、１０Ａ〜１０Ｃは吊り戸３の上方を吊持する吊り具である。
【００２８】
前記壁部１は部屋と部屋とを仕切る壁である。壁部１は移動レール５によって分断されている。前記吊り戸レール２は、分断された壁部１の移動レール５よりも戸先側（本願において「戸先側壁部」という）１ａに設けられた戸先側レール２ａと、分断された壁部１の移動レール５よりも戸尻側（本願において「戸尻側壁部」という）１ｂに設けられた戸尻側レール２ｂとで構成されている。
【００２９】
戸先側レール２ａは戸先側壁部１ａの略全長に亘って設けられ、戸尻側レール２ｂは戸尻側壁部１ｂの略全長に亘って設けられている。戸先側レール２ａと戸尻側レール２ｂは同一直線状に設置されている。戸先側レール２ａには凹陥状のガイド溝２ｘが、戸尻側レール２ｂには凹陥状のガイド溝２ｙが設けられている。ガイド溝２ｘには戸先側吊り具１０Ａの枠側部材１１が、ガイド溝２ｙには中継吊り具１０Ｂの枠側部材１１及び戸尻側吊り具１０Ｃの枠側部材３１が収まっている。
【００３０】
戸先側レール２ａのガイド溝２ｘのうち、移動レール５側の端部には、直方体状の戸先側ブロック６ａが設けられている。戸先側ブロック６ａには磁石（図示しない）が設けてある。磁石を設ける代わりに、磁性を備えた材料で戸先側ブロック６ａを構成することもできる。戸先側ブロック６ａには、磁石以外の吸着手段を設けることもできる。この実施形態の戸先側ブロック６ａは戸先側吊り具１０Ａの移動を停止させるストッパーとしての役割を果たすものである。
【００３１】
戸尻側レール２ｂのガイド溝２ｙのうち、移動レール５側の端部には、直方体状の戸尻側ブロック６ｂが設けられている。戸尻側ブロック６ｂには磁石（図示しない）が設けてある。戸先側ブロック６ａと同様、磁石を設ける代わりに、磁性を備えた材料で戸尻側ブロック６ｂを構成することもできる。戸尻側ブロック６ｂには、磁石以外の吸着手段を設けることもできる。この実施形態の戸尻側ブロック６ｂは中継吊り具１０Ｂの移動を停止させるストッパーとしての役割を果たすものである。
【００３２】
前記吊り戸３は部屋間の壁部１に設けられた出入り口を開閉するためのものである。一例として図５（ａ）（ｂ）及び図６（ａ）（ｂ）に示す吊り戸３は横長方形状であり、その上部に上端側レール４が設けられている。上端側レール４は吊り戸レール２と対向する位置に設けてある。上端側レール４は、戸先側の端部から戸尻側領域３ｂの中央付近の位置までの長さとしてある。上端側レール４には凹陥状のガイド溝４ｘが設けられている。
【００３３】
前記ガイド溝４ｘには直方体状の戸側ブロック７が固設されている。戸側ブロック７には図示しない磁石が設けてある。戸先側ブロック６ａや戸尻側ブロック６ｂと同様、磁石を設ける代わりに、磁性を備えた材料で戸側ブロック７を構成することもできる。この実施形態の戸側ブロック７は上端側レール４の所定位置に固定され、戸先側吊り具１０Ａの戸側部材１２を吸着する吸着具としての役割や、中継吊り具１０Ｂの戸側部材１２を吊り戸３が開く方向（本願において「開方向」という）に押す押し具の役割を果たすものである。
【００３４】
前記吊り戸３は、間隔をあけて設置された三つの吊り具１０Ａ〜１０Ｃによって吊下げられている。前述のとおり、戸先側吊り具１０Ａ及び中継吊り具１０Ｂは双方回転型吊り具（図２（ａ）（ｂ））、戸尻側吊り具１０Ｃは上回転型吊り具（図４（ａ）（ｂ））である。戸先側吊り具１０Ａの枠側部材１１は戸先側レール２ａ内に、中継吊り具１０Ｂの枠側部材１１及び戸尻側吊り具１０Ｃの枠側部材３１は戸尻側レール２ｂ内に設けられている。戸先側吊り具１０Ａの戸側部材１２及び中継吊り具１０Ｂの戸側部材１２は上端側レール４内に設けられ、戸尻側吊り具１０Ｃの戸側部材３２は吊り戸３の戸尻側領域３ｂの上方端部に固定されている。
【００３５】
吊り戸３の下端面には、床面に設けられた振れ止め装置のローラー９が収まる下端側レール８が設けられている。マグネット式の振れ止め装置を用いる場合等、不要な場合には下端側レール８は省略することもできる。
【００３６】
移動レール５は移動リフトを移動させるためのガイドレールである。移動レール５は吊り戸レール２を分断する位置（戸先側レール２ａと戸尻側レール２ｂの間）に配置されている。
【００３７】
［吊り戸を開く際の動作］
（１）全閉状態にある吊り戸３（図５（ａ））を開方向へ移動させ、戸先側吊り具１０Ａの枠側部材１１を戸先側ブロック６ａに突き当たらせる（図５（ｂ））。
（２）上記（１）の状態から吊り戸３をさらに開方向へ移動させ、戸先側吊り具１０Ａの戸側部材１２に吸着していた戸側ブロック７を当該戸先側吊り具１０Ａの戸側部材１２から離脱させ、中継吊り具１０Ｂの戸側部材１２に吸着させる（図６（ａ））。
（３）上記（２）の状態から吊り戸３をさらに開方向へ移動させ、戸先側吊り具１０Ａの戸側部材１２を上端側レール４から離脱させ、吊り戸３を全開状態まで移動させる（図６（ｂ））。
【００３８】
上記吊り戸を開く動作では、吊り戸３を開く途中で吊り戸３を戸先側吊り具１０Ａから離脱させるが、吊り戸３が戸先側吊り具１０Ａから離脱する前に、戸先側領域３ａが中継吊り具１０Ｂで吊持され、戸尻側領域３ｂが戸尻側吊り具１０Ｃで吊持されるため、吊り戸３が不用意に傾いたり、脱落したりすることがない。
【００３９】
［吊り戸を閉じる際の動作］
（１）全開状態にある吊り戸３（図６（ｂ））を吊り戸３が閉じる方向（本願において「閉方向」という）に移動させ、吊り戸３の上端側レール４内に戸先側吊り具１０Ａの戸側部材１２を嵌合させる（図６（ａ））。
（２）上記（１）の状態から吊り戸３をさらに閉方向へ移動させて、中継吊り具１０Ｂの枠側部材１１を戸尻側ブロック６ｂに突き当たらせ、中継吊り具１０Ｂの戸側部材１２に吸着していた戸側ブロック７を当該中継吊り具１０Ｂの戸側部材１２から離脱させる（図５（ｂ））。
（３）上記（２）の状態から吊り戸３をさらに閉方向へ移動させて、戸先側吊り具１０Ａの戸側部材１２に吸着させ、吊り戸３を全閉状態まで移動させる（図５（ａ））。
【００４０】
上記吊り戸を閉じる動作によって全閉状態まで移動した吊り戸３は、その戸先側領域３ａが戸先側吊り具１０Ａで吊持され、戸尻側領域３ｂが中継吊り具１０Ｂ及び戸尻側吊り具１０Ｃで吊持されるため、不用意に傾いたり、脱落したりすることがない。
【００４１】
［実施形態２］
本発明の吊り戸構造の第二の実施形態について、図７（ａ）（ｂ）及び図８（ａ）（ｂ）を参照して説明する。この実施形態の基本的な構成は実施形態１と同様である。異なるのは、吊り具１０の組み合わせ、戸先側レール２ａ及び戸先側ブロック６ａがないこと、上端側レール４が実施形態１の上端側レール４よりも短いことである。以下では、実施形態１と異なる部分を中心に説明し、実施形態１と共通する部分についてはその説明を省略する。
【００４２】
この実施形態の吊り具１０は、戸先側吊り具１０Ａが下回転型吊り具（図３（ａ）（ｂ））、中継吊り具１０Ｂが双方回転型吊り具（図２（ａ）（ｂ））、戸尻側吊り具１０Ｃが上回転型吊り具（図４（ａ）（ｂ））である。戸先側吊り具１０Ａの枠側部材２１は戸先側壁部１ａに固定され、中継吊り具１０Ｂの枠側部材１１及び戸尻側吊り具１０Ｃの枠側部材３１は戸尻側レール２ｂ内に設けられている。戸先側吊り具１０Ａの戸側部材２２及び中継吊り具１０Ｂの戸側部材１２は上端側レール４内に設けられ、戸尻側吊り具１０Ｃの戸側部材３２は吊り戸３の戸尻側領域３ｂの上方端部に固定されている。
【００４３】
［吊り戸を開く際の動作］
（１）全閉状態にある吊り戸３（図７（ａ））を開方向へ移動させ、戸側ブロック７を中継吊り具１０Ｂの戸側部材１２に吸着させる（図７（ｂ））。
（２）上記（１）の状態から吊り戸３をさらに開方向へ移動させ、中継吊り具１０Ｂが吊り戸３の戸先側領域３ａに到達したところで、吊り戸３を戸先側吊り具１０Ａから離脱させる（図８（ａ））。
（３）上記（２）の状態から吊り戸３をさらに開方向へ移動させ、吊り戸３を全開状態まで移動させる（図８（ｂ））。
【００４４】
上記吊り戸を開く動作では、吊り戸３を開く途中で吊り戸３を戸先側吊り具１０Ａから離脱させるが、吊り戸３が戸先側吊り具１０Ａから離脱する前に、戸先側領域３ａが中継吊り具１０Ｂで吊持され、戸尻側領域３ｂが戸尻側吊り具１０Ｃで吊持されるため、吊り戸３が不用意に傾いたり、脱落したりすることがない。
【００４５】
［吊り戸を閉じる際の動作］
（１）全開状態にある吊り戸３（図８（ｂ））を閉方向に移動させ（図８（ａ））、吊り戸３の上端側レール４内に戸先側吊り具１０Ａの戸側部材１２を嵌合させる（図７（ｂ））。
（２）上記（１）の状態から吊り戸３をさらに閉方向へ移動させて、中継吊り具１０Ｂの戸側部材１２に吸着していた戸側ブロック７を当該中継吊り具１０Ｂの戸側部材１２から離脱させる（図７（ｂ））。
（３）上記（２）の状態から吊り戸３をさらに閉方向へ移動させ、吊り戸３を全閉状態まで移動させる（図７（ａ））。
【００４６】
上記吊り戸を閉じる動作によって全閉状態まで移動した吊り戸３は、その戸先側領域３ａが戸先側吊り具１０Ａで吊持され、戸尻側領域３ｂが中継吊り具１０Ｂ及び戸尻側吊り具１０Ｃで吊持されるため、不用意に傾いたり、脱落したりすることがない。
【００４７】
［実施形態３］
本発明の吊り戸構造の第三の実施形態について、図９（ａ）（ｂ）及び図１０（ａ）（ｂ）を参照して説明する。この実施形態の基本的な構成は実施形態１と同様である。異なるのは、吊り具１０の組み合わせ、戸尻側レール２ｂが戸尻側壁部１ｂの全長よりも短いこと、戸尻側ブロック６ｂがないこと、上端側レール４が実施形態１の上端側レール４よりも長いことである。以下では、実施形態１と異なる部分を中心に説明し、実施形態１と共通する部分についてはその説明を省略する。
【００４８】
この実施形態の戸先側吊り具１０Ａは双方回転型吊り具（図２（ａ）（ｂ））、中継吊り具１０Ｂは下回転型吊り具（図３（ａ）（ｂ））、戸尻側吊り具１０Ｃは上回転型吊り具（図４（ａ）（ｂ））である。戸先側吊り具１０Ａの枠側部材１１は戸先側レール２ａ内に設けられ、中継吊り具１０Ｂの枠側部材２１は戸尻側壁部１ｂに固定され、戸尻側吊り具１０Ｃの枠側部材３１は戸尻側レール２ｂ内に設けられている。戸先側吊り具１０Ａの戸側部材１２及び中継吊り具１０Ｂの戸側部材２２は上端側レール４内に設けられ、戸尻側吊り具１０Ｃの戸側部材３２は吊り戸３の戸尻側領域３ｂの上方端部に固定されている。
【００４９】
［吊り戸を開く際の動作］
（１）全閉状態にある吊り戸３（図９（ａ））を開方向へ移動させ、戸先側吊り具１０Ａの枠側部材１１を戸先側ブロック６ａに突き当たらせる（図９（ｂ））。
（２）上記（１）の状態から吊り戸３をさらに開方向へ移動させ、戸先側吊り具１０Ａの戸側部材１２に吸着していた戸側ブロック７を当該戸先側吊り具１０Ａの戸側部材１２から離脱させる（図１０（ａ））。
（３）上記（２）の状態から吊り戸３をさらに開方向へ移動させ、中継吊り具１０Ｂが吊り戸３の戸先側領域３ａに到達したところで、吊り戸３を戸先側吊り具１０Ａから離脱させ、吊り戸３を全開状態まで移動させる（図１０（ｂ））。
【００５０】
上記吊り戸を開く動作では、吊り戸３を開く途中で吊り戸３を戸先側吊り具１０Ａから離脱させるが、吊り戸３が戸先側吊り具１０Ａから離脱する前に、戸先側領域３ａが中継吊り具１０Ｂで吊持され、戸尻側領域３ｂが戸尻側吊り具１０Ｃで吊持されるため、吊り戸３が不用意に傾いたり、脱落したりすることがない。
【００５１】
［吊り戸を閉じる際の動作］
（１）全開状態にある吊り戸３（図１０（ｂ））を閉方向に移動させて吊り戸３の上端側レール４を戸先側吊り具１０Ａの戸側部材１２を嵌合させる（図１０（ａ））。
（２）上記（１）の状態から吊り戸３をさらに閉方向へ移動させ、戸側ブロック７を戸先側吊り具１０Ａの戸側部材１２に吸着させる（図９（ｂ））。
（３）上記（２）の状態から吊り戸３をさらに閉方向へ移動させて戸側ブロック７で戸先側吊り具１０Ａを押し、戸先側吊り具１０Ａの枠側部材１１をブロック６ａから離脱させて、吊り戸３を全閉状態まで移動させる（図９（ａ））。
【００５２】
上記吊り戸を閉じる動作によって全閉状態まで移動した吊り戸３は、その戸先側領域３ａが戸先側吊り具１０Ａで吊持され、戸尻側領域３ｂが中継吊り具１０Ｂ及び戸尻側吊り具１０Ｃで吊持されるため、不用意に傾いたり、脱落したりすることがない。
【００５３】
［実施形態４］
本発明の吊り戸構造の第四の実施形態について、図１１（ａ）（ｂ）及び図１２を参照して説明する。この実施形態の基本的な構成は実施形態１と同様である。異なるのは、吊り具１０の組み合わせ、戸先側レール２ａ及び戸先側ブロック６ａがないこと、戸尻側レール２ｂが戸尻側壁部１ｂの全長よりも短いこと、戸尻側ブロック６ｂがないこと、上端側レール４が実施形態１の上端側レール４よりも長いことである。以下では、実施形態１と異なる部分を中心に説明し、実施形態１と共通する部分についてはその説明を省略する。
【００５４】
この実施形態の戸先側吊り具１０Ａ及び中継吊り具１０Ｂは下回転型吊り具（図３（ａ）（ｂ））、戸尻側吊り具１０Ｃは上回転型吊り具（図４（ａ）（ｂ））である。戸先側吊り具１０Ａの枠側部材２１は戸先側壁部１ａに固定され、中継吊り具１０Ｂの枠側部材２１は戸尻側壁部１ｂに固定され、戸尻側吊り具１０Ｃの枠側部材３１は戸尻側レール２ｂ内に設けられている。戸先側吊り具１０Ａの戸側部材２２及び中継吊り具１０Ｂの戸側部材２２は上端側レール４内に設けられ、戸尻側吊り具１０Ｃの戸側部材３２は吊り戸３の戸尻側領域３ｂの上方端部に固定されている。
【００５５】
［吊り戸を開く際の動作］
（１）全閉状態にある吊り戸３（図１１（ａ））を開方向へ移動させ、中継吊り具１０Ｂを吊り戸３の戸先側領域３ａに到達させる（図１１（ｂ））。
（２）上記（１）のように中継吊り具１０Ｂを吊り戸３の戸先側領域３ａに到達させたのち、吊り戸３をさらに開方向へ移動して戸先側吊り具１０Ａの戸側部材２２から離脱させ、吊り戸３を全開状態まで移動させる（図１２）。
【００５６】
上記吊り戸を開く動作では、吊り戸３を開く途中で吊り戸３を戸先側吊り具１０Ａから離脱させるが、吊り戸３が戸先側吊り具１０Ａから離脱する前に、戸先側領域３ａが中継吊り具１０Ｂで吊持され、戸尻側領域３ｂが戸尻側吊り具１０Ｃで吊持されるため、吊り戸３が不用意に傾いたり、脱落したりすることがない。
【００５７】
［吊り戸を閉じる際の動作］
（１）全開状態にある吊り戸３（図１２）を閉方向に移動させ、吊り戸３の上端側レール４内に戸先側吊り具１０Ａの戸側部材２２を嵌合させる（図１１（ｂ））。
（２）上記（１）の状態から吊り戸３をさらに閉方向へ移動させ、吊り戸３を全閉状態まで移動させる（図１１（ａ））。
【００５８】
上記吊り戸を閉じる動作によって全閉状態まで移動した吊り戸３は、その戸先側領域３ａが戸先側吊り具１０Ａで吊持され、戸尻側領域３ｂが中継吊り具１０Ｂ及び戸尻側吊り具１０Ｃで吊持されるため、不用意に傾いたり、脱落したりすることがない。
【００５９】
［実施形態５］
本発明の吊り戸構造の第五の実施形態について、図１３（ａ）（ｂ）及び図１４を参照して説明する。この実施形態の基本的な構成は実施形態１と同様である。異なるのは、吊り具１０の組み合わせ、戸先側レール２ａ及び戸先側ブロック６ａがないこと、戸尻側レール２ｂ及び戸尻側ブロック６ｂがないこと、上端側レール４が吊り戸３の上部の長さ方向全長に亘って設けられていること、戸側ブロック７がないことである。以下では、実施形態１と異なる部分を中心に説明し、実施形態１と共通する部分についてはその説明を省略する。
【００６０】
この実施形態の戸先側吊り具１０Ａ、中継吊り具１０Ｂ、及び戸尻側吊り具１０Ｃは、いずれも下回転型吊り具（図３（ａ）（ｂ））である。戸先側吊り具１０Ａの枠側部材２１は戸先側壁部１ａに固定され、中継吊り具１０Ｂの枠側部材２１及び戸尻側吊り具１０Ｃの枠側部材２１は戸尻側壁部１ｂに固定されている。戸先側吊り具１０Ａの戸側部材２２、中継吊り具１０Ｂの戸側部材２２及び戸尻側吊り具１０Ｃの戸側部材２２は上端側レール４内に設けられている。
【００６１】
［吊り戸を開く際の動作］
（１）全閉状態にある吊り戸３（図１３（ａ））を開方向へ移動させ、中継吊り具１０Ｂを吊り戸３の戸先側領域３ａまで到達させる（図１３（ｂ））。
（２）上記（１）のように中継吊り具１０Ｂを吊り戸３の戸先側領域３ａに到達させたのち、吊り戸３をさらに開方向へ移動して戸先側吊り具１０Ａの戸側部材２２から離脱させ、吊り戸３を全開状態まで移動させる（図１４）。
【００６２】
上記吊り戸を開く動作では、吊り戸３を開く途中で吊り戸３を戸先側吊り具１０Ａから離脱させるが、吊り戸３が戸先側吊り具１０Ａから離脱する前に、戸先側領域３ａが中継吊り具１０Ｂで吊持され、戸尻側領域３ｂが戸尻側吊り具１０Ｃで吊持されるため、吊り戸３が不用意に傾いたり、脱落したりすることがない。
【００６３】
［吊り戸を閉じる際の動作］
（１）全開状態にある吊り戸３（図１４）を閉方向に移動させ、吊り戸３の上端側レール４内に戸先側吊り具１０Ａの戸側部材２２を嵌合させる（図１３（ｂ））。
（２）上記（１）の状態から吊り戸３をさらに閉方向へ移動させ、吊り戸３を全閉状態まで移動させる（図１３（ａ））。
【００６４】
上記吊り戸を閉じる動作では、吊り戸３を閉じる途中で吊り戸３を戸尻側吊り具１０Ｃから離脱させるが、吊り戸３が戸尻側吊り具１０Ｃから離脱する前に、戸尻側領域３ｂが中継吊り具１０Ｂで吊持され、戸先側領域３ａが戸先側吊り具１０Ａで吊持されるため、吊り戸３が不用意に傾いたり、脱落したりすることがない。
【００６５】
［その他の実施形態］
前記実施形態１〜５では、移動レール５よりも戸先側に、途中で吊り戸３から離脱して吊り戸３の吊持を解除する吊り具１０が設けてある。また、離脱する吊り具１０が上端側レール４から離脱するタイミングでは、必ず、吊り戸３の戸先側領域３ａと戸尻側領域３ｂの夫々が他の吊り具によって吊持されるようにしてある。本発明の吊り戸構造は、これらの条件がそろえば、前記実施形態１〜５に示す構造以外の構造とすることもできる。
【産業上の利用可能性】
【００６６】
本発明の吊り戸構造は、介護施設や病院等の施設、一般家庭など、レール式の移動装置（例えば、介護リフト）を設置する場合などに特に適する構造である。
【符号の説明】
【００６７】
１      壁部
１ａ    戸先側壁部
１ｂ    戸尻側壁部
２      吊り戸レール
２ａ    戸先側レール
２ｂ    戸尻側レール
２ｘ    （戸先側レールの）ガイド溝
２ｙ    （戸尻側レールの）ガイド溝
３      吊り戸
３ａ    （吊り戸の）戸先側領域
３ｂ    （吊り戸の）戸尻側領域
４      上端側レール
４ｘ    ガイド溝
５      移動レール
６ａ    戸先側ブロック
６ｂ    戸尻側ブロック
７      戸側ブロック
８      下端側レール
９      ローラー
１０    吊り具
１０Ａ  戸先側吊り具
１０Ｂ  中継吊り具
１０Ｃ  戸尻側吊り具
１１    枠側部材
１１ａ  枠側ブラケット
１１ｂ  上ローラー
１１ｃ  ネジ穴
１１ｄ  止め片
１１ｅ  突き当て具
１２    戸側部材
１２ａ  戸側ブラケット
１２ｂ  下ローラー
１２ｃ  ネジ穴
１２ｄ  止め片
１２ｅ  突き当て具
１２ｆ  挿通孔
１３    連結部材
１３ａ  接続ボルト
１３ｂ  吊りブラケット
１３ｃ  押さえ具
１３ｄ  ネジ穴
１３ｅ  止め片
１３ｆ  セット凹部
１３ｇ  回り止め具
１３ｈ  挿通孔
１３ｉ  ナット
２１    枠側部材
２１ａ  固定プレート
２１ｂ  固定ナット
２１ｃ  挿通孔
２２    戸側部材
２２ａ  戸側ブラケット
２２ｂ  下ローラー
２２ｃ  ネジ穴
２２ｄ  止め片
２３    連結部材
２３ａ  接続ボルト
２３ｂ  吊りブラケット
２３ｃ  押さえ具
２３ｄ  ネジ穴
２３ｅ  止め片
２３ｆ  セット凹部
３１    枠側部材
３１ａ  枠側ブラケット
３１ｂ  上ローラー
３１ｃ  ネジ穴
３１ｄ  止め片
３２    戸側部材
３２ａ  固定プレート
３２ｂ  固定ナット
３２ｃ  挿通孔
３２ｄ  挿通孔
３３    連結部材
３３ａ  接続ボルト
３３ｂ  吊りブラケット
３３ｃ  押さえ具
３３ｄ  ネジ穴
３３ｅ  止め片
３３ｆ  セット凹部
Ｂ１    固定ネジ
Ｂ２    固定ネジ
Ｂ３    固定ネジ
【図１】
2019002149.tif 000003
【図２】
2019002149.tif 000004
【図３】
2019002149.tif 000005
【図４】
2019002149.tif 000006
【図５】
2019002149.tif 000007
【図６】
2019002149.tif 000008
【図７】
2019002149.tif 000009
【図８】
2019002149.tif 000010
【図９】
2019002149.tif 000011
【図１０】
2019002149.tif 000012
【図１１】
2019002149.tif 000013
【図１２】
2019002149.tif 000014
【図１３】
2019002149.tif 000015
【図１４】
2019002149.tif 000016